(57)【特許請求の範囲】
【請求項１】
キャパシタに並列にインダクタとダイオードの直列回路を接続してなるディスエーブル回路をコイルループに直列に接続したＲＦコイルであって、
前記コイルループにおけるＲＦ電位が等しい箇所同士を接続して前記ダイオード用の直流バイアス供給経路を構成するＲＦチョーク回路、
を具備することを特徴とするＲＦコイル。
【請求項２】
前記ＲＦコイルは、
平面上に互いに平行に配置された直線状の複数の主電流経路と、
前記平面に沿って前記複数の主電流経路を迂回しつつそれらを電流方向が同じになるように直列に接続する迂回電流経路と、
を有し、
前記ディスエーブル回路は前記迂回電流経路中に存在する、
ことを特徴とする請求項１に記載のＲＦコイル。
【請求項３】
前記ＲＦコイルは、
平面上に互いに平行に配置された複数の直線状の電流経路を含む第１の電流経路群と、
互いに平行な複数の直線状の電流経路を含み前記第１の電流経路群と平行な鏡像を成す関係で前記平面上に配置された第２の電流経路群と、
前記平面に沿って前記第１および第２の電流経路群を迂回しつつ両群を通じて全ての直線状の電気経路を電流方向が同じになるように直列に接続する第３の電流経路群と、
を有し、
前記ディスエーブル回路は前記第３の電流経路群中に存在する、
ことを特徴とする請求項１に記載のＲＦコイル。
【請求項４】
前記ＲＦコイルは、
第１の平面上に互いに平行に配置された複数の直線状の電流経路を含む第１の電流経路群と、
互いに平行な複数の直線状の電流経路を含み前記第１の電流経路群と平行な鏡像を成す関係で前記第１の平面上に配置された第２の電流経路群と、
前記第１の平面に沿って前記第１および第２の電流経路群を迂回しつつ両群を通じて全ての直線状の電気経路を電流方向が同じになるように直列に接続する第３の電流経路群と、
空間を隔てて前記第１の平面と平行に対向する第２の平面上に前記第１の電流経路群の電流経路の方向と平行に配置された複数の直線状の電流経路を含む第４の電流経路群と、
互いに平行な複数の直線状の電流経路を含み前記第４の電流経路群と平行な鏡像を成す関係で前記第２の平面上に配置された第５の電流経路群と、
前記第２の平面に沿って前記第４および第５の電流経路群を迂回しつつ両群を通じて全ての直線状の電気経路を電流方向が同じになるように直列に接続する第６の電流経路群と、
を有し、
前記ディスエーブル回路は前記第３および第６の電流経路郡中にそれぞれ存在する、
ことを特徴とする請求項１に記載のＲＦコイル。
【請求項５】
前記ＲＦコイルは、
第１の平面上に互いに平行に配置された複数の直線状の電流経路を含む第１の電流経路群と、
互いに平行な複数の直線状の電流経路を含み前記第１の電流経路群と平行な鏡像を成す関係で前記第１の平面上に配置された第２の電流経路群と、
前記第１の平面に沿って前記第１および第２の電流経路群を迂回しつつ両群を通じて全ての直線状の電気経路を電流方向が同じになるように直列に接続する第３の電流経路群と、
前記第１の平面に近接して平行に対向する第３の平面上に前記第１の電流経路群の電流経路の方向とは垂直な方向に沿って互いに平行に配置された複数の直線状の電流経路を含む第７の電流経路群と、
互いに平行な複数の直線状の電流経路を含み前記第７の電流経路群と平行な鏡像を成す関係で前記第３の平面上に配置された第８の電流経路群と、
前記第３の平面に沿って前記第７および第８の電流経路群を迂回しつつ両群を通じて全ての直線状の電気経路を電流方向が同じになるように直列に接続する第９の電流経路群と、
を有し、
前記ディスエーブル回路は前記第３および第９の電流経路郡中にそれぞれ存在する、
ことを特徴とする請求項１に記載のＲＦコイル。
【請求項６】
前記ＲＦコイルは、
第１の平面上に互いに平行に配置された複数の直線状の電流経路を含む第１の電流経路群と、
互いに平行な複数の直線状の電流経路を含み前記第１の電流経路群と平行な鏡像を成す関係で前記第１の平面上に配置された第２の電流経路群と、
前記第１の平面に沿って前記第１および第２の電流経路群を迂回しつつ両群を通じて全ての直線状の電気経路を電流方向が同じになるように直列に接続する第３の電流経路群と、
前記第１の平面に近接して平行に対向する第３の平面上に前記第１の電流経路群の電流経路の方向とは垂直な方向に沿って互いに平行に配置された複数の直線状の電流経路を含む第７の電流経路群と、
互いに平行な複数の直線状の電流経路を含み前記第７の電流経路群と平行な鏡像を成す関係で前記第３の平面上に配置された第８の電流経路群と、
前記第３の平面に沿って前記第７および第８の電流経路群を迂回しつつ両群を通じて全ての直線状の電気経路を電流方向が同じになるように直列に接続する第９の電流経路群と、
空間を隔てて前記第１の平面と平行に対向する第２の平面上に前記第１の電流経路群の電流経路の方向と平行に配置された複数の直線状の電流経路を含む第４の電流経路群と、
互いに平行な複数の直線状の電流経路を含み前記第４の電流経路群と平行な鏡像を成す関係で前記第２の平面上に配置された第５の電流経路群と、
前記第２の平面に沿って前記第４および第５の電流経路群を迂回しつつ両群を通じて全ての直線状の電気経路を電流方向が同じになるように直列に接続する第６の電流経路群と、
前記第２の平面に近接して平行に対向する第４の平面上に前記第４の電流経路群の電流経路の方向とは垂直な方向に沿って互いに平行に配置された複数の直線状の電流経路を含む第１０の電流経路群と、
互いに平行な複数の直線状の電流経路を含み前記第１０の電流経路群と平行な鏡像を成す関係で前記第４の平面上に配置された第１１の電流経路群と、
前記第４の平面に沿って前記第１０および第１１の電流経路群を迂回しつつ両群を通じて全ての直線状の電気経路を電流方向が同じになるように直列に接続する第１２の電流経路群と、
を有し、
前記ディスエーブル回路は前記第３、第６、第９および第１２の電流経路郡中にそれぞれ存在する、
ことを特徴とする請求項１に記載のＲＦコイル。
【請求項７】
前記ＲＦチョーク回路としてインダクタを用いる、
ことを特徴とする請求項１ないし請求項６のうちのいずれか１つに記載のＲＦコイル。
【請求項８】
前記ＲＦチョーク回路としてインダクタとキャパシタの並列回路を用いる、
ことを特徴とする請求項１ないし請求項６のうちのいずれか１つに記載のＲＦコイル。
【請求項９】
前記ＲＦチョーク回路としてインダクタとダイオードの直列回路を用いる、
ことを特徴とする請求項１ないし請求項６のうちのいずれか１つに記載のＲＦコイル。
【請求項１０】
静磁場、勾配磁場および高周波磁場を用いて獲得した磁気共鳴信号に基づいて画像を構成する磁気共鳴撮影装置であって、
前記高周波磁場を発生するＲＦコイルとして、
キャパシタに並列にインダクタとダイオードの直列回路を接続してなるディスエーブル回路をコイルループに直列に接続したＲＦコイルであって、
前記コイルループにおけるＲＦ電位が等しい箇所同士を接続して前記ダイオード用の直流バイアス供給経路を構成するＲＦチョーク回路、
を有するＲＦコイル、
を具備することを特徴とする磁気共鳴撮影装置。
【請求項１１】
前記ＲＦコイルは、
平面上に互いに平行に配置された直線状の複数の主電流経路と、
前記平面に沿って前記複数の主電流経路を迂回しつつそれらを電流方向が同じになるように直列に接続する迂回電流経路と、
を有し、
前記ディスエーブル回路は前記迂回電流経路中に存在する、
ことを特徴とする請求項１０に記載の磁気共鳴撮影装置。
【請求項１２】
前記ＲＦコイルは、
平面上に互いに平行に配置された複数の直線状の電流経路を含む第１の電流経路群と、
互いに平行な複数の直線状の電流経路を含み前記第１の電流経路群と平行な鏡像を成す関係で前記平面上に配置された第２の電流経路群と、
前記平面に沿って前記第１および第２の電流経路群を迂回しつつ両群を通じて全ての直線状の電気経路を電流方向が同じになるように直列に接続する第３の電流経路群と、
を有し、
前記ディスエーブル回路は前記第３の電流経路群中に存在する、
ことを特徴とする請求項１０に記載の磁気共鳴撮影装置。
【請求項１３】
前記ＲＦコイルは、
第１の平面上に互いに平行に配置された複数の直線状の電流経路を含む第１の電流経路群と、
互いに平行な複数の直線状の電流経路を含み前記第１の電流経路群と平行な鏡像を成す関係で前記第１の平面上に配置された第２の電流経路群と、
前記第１の平面に沿って前記第１および第２の電流経路群を迂回しつつ両群を通じて全ての直線状の電気経路を電流方向が同じになるように直列に接続する第３の電流経路群と、
空間を隔てて前記第１の平面と平行に対向する第２の平面上に前記第１の電流経路群の電流経路の方向と平行に配置された複数の直線状の電流経路を含む第４の電流経路群と、
互いに平行な複数の直線状の電流経路を含み前記第４の電流経路群と平行な鏡像を成す関係で前記第２の平面上に配置された第５の電流経路群と、
前記第２の平面に沿って前記第４および第５の電流経路群を迂回しつつ両群を通じて全ての直線状の電気経路を電流方向が同じになるように直列に接続する第６の電流経路群と、
を有し、
前記ディスエーブル回路は前記第３および第６の電流経路郡中にそれぞれ存在する、
ことを特徴とする請求項１０に記載の磁気共鳴撮影装置。
【請求項１４】
前記ＲＦコイルは、
第１の平面上に互いに平行に配置された複数の直線状の電流経路を含む第１の電流経路群と、
互いに平行な複数の直線状の電流経路を含み前記第１の電流経路群と平行な鏡像を成す関係で前記第１の平面上に配置された第２の電流経路群と、
前記第１の平面に沿って前記第１および第２の電流経路群を迂回しつつ両群を通じて全ての直線状の電気経路を電流方向が同じになるように直列に接続する第３の電流経路群と、
前記第１の平面に近接して平行に対向する第３の平面上に前記第１の電流経路群の電流経路の方向とは垂直な方向に沿って互いに平行に配置された複数の直線状の電流経路を含む第７の電流経路群と、
互いに平行な複数の直線状の電流経路を含み前記第７の電流経路群と平行な鏡像を成す関係で前記第３の平面上に配置された第８の電流経路群と、
前記第３の平面に沿って前記第７および第８の電流経路群を迂回しつつ両群を通じて全ての直線状の電気経路を電流方向が同じになるように直列に接続する第９の電流経路群と、
を有し、
前記ディスエーブル回路は前記第３および第９の電流経路郡中にそれぞれ存在する、
ことを特徴とする請求項１０に記載の磁気共鳴撮影装置。
【請求項１５】
前記ＲＦコイルは、
第１の平面上に互いに平行に配置された複数の直線状の電流経路を含む第１の電流経路群と、
互いに平行な複数の直線状の電流経路を含み前記第１の電流経路群と平行な鏡像を成す関係で前記第１の平面上に配置された第２の電流経路群と、
前記第１の平面に沿って前記第１および第２の電流経路群を迂回しつつ両群を通じて全ての直線状の電気経路を電流方向が同じになるように直列に接続する第３の電流経路群と、
前記第１の平面に近接して平行に対向する第３の平面上に前記第１の電流経路群の電流経路の方向とは垂直な方向に沿って互いに平行に配置された複数の直線状の電流経路を含む第７の電流経路群と、
互いに平行な複数の直線状の電流経路を含み前記第７の電流経路群と平行な鏡像を成す関係で前記第３の平面上に配置された第８の電流経路群と、
前記第３の平面に沿って前記第７および第８の電流経路群を迂回しつつ両群を通じて全ての直線状の電気経路を電流方向が同じになるように直列に接続する第９の電流経路群と、
空間を隔てて前記第１の平面と平行に対向する第２の平面上に前記第１の電流経路群の電流経路の方向と平行に配置された複数の直線状の電流経路を含む第４の電流経路群と、
互いに平行な複数の直線状の電流経路を含み前記第４の電流経路群と平行な鏡像を成す関係で前記第２の平面上に配置された第５の電流経路群と、
前記第２の平面に沿って前記第４および第５の電流経路群を迂回しつつ両群を通じて全ての直線状の電気経路を電流方向が同じになるように直列に接続する第６の電流経路群と、
前記第２の平面に近接して平行に対向する第４の平面上に前記第４の電流経路群の電流経路の方向とは垂直な方向に沿って互いに平行に配置された複数の直線状の電流経路を含む第１０の電流経路群と、
互いに平行な複数の直線状の電流経路を含み前記第１０の電流経路群と平行な鏡像を成す関係で前記第４の平面上に配置された第１１の電流経路群と、
前記第４の平面に沿って前記第１０および第１１の電流経路群を迂回しつつ両群を通じて全ての直線状の電気経路を電流方向が同じになるように直列に接続する第１２の電流経路群と、
を有し、
前記ディスエーブル回路は前記第３、第６、第９および第１２の電流経路郡中にそれぞれ存在する、
ことを特徴とする請求項１０に記載の磁気共鳴撮影装置。
【請求項１６】
前記ＲＦチョーク回路としてインダクタを用いる、
ことを特徴とする請求項１０ないし請求項１５のうちのいずれか１つに記載の磁気共鳴撮影装置。
【請求項１７】
前記ＲＦチョーク回路としてインダクタとキャパシタの並列回路を用いる、
ことを特徴とする請求項１０ないし請求項１５のうちのいずれか１つに記載の磁気共鳴撮影装置。
【請求項１８】
前記ＲＦチョーク回路としてインダクタとダイオードの直列回路を用いる、
ことを特徴とする請求項１０ないし請求項１５のうちのいずれか１つに記載の磁気共鳴撮影装置。
【発明の詳細な説明】
【０００１】
【発明の属する技術分野】
本発明は、ＲＦコイル（ｒａｄｉｏ  ｆｒｅｑｕｅｎｃｙ  ｃｏｉｌ）および磁気共鳴撮影装置に関し、特に、他のコイルとのカップリング（ｃｏｕｐｌｉｎｇ）を阻止するためのディスエーブル（ｄｉｓａｂｌｅ）回路を備えたＲＦコイル、および、そのようなＲＦコイルを有する磁気共鳴撮影装置に関する。
【０００２】
【従来の技術】
磁気共鳴撮影（ＭＲＩ：Ｍａｇｎｅｔｉｃ  Ｒｅｓｏｎａｎｃｅ  Ｉｍａｇｉｎｇ）装置では、マグネットシステム（ｍａｇｎｅｔ  ｓｙｓｔｅｍ）の内部空間すなわち静磁場を形成した空間に撮影対象を搬入し、勾配磁場および高周波磁場を印加して対象内に磁気共鳴信号を発生させ、その受信信号に基づいて断層像を生成（再構成）する。
【０００３】
高周波磁場の印加および磁気共鳴信号の受信にはＲＦコイルが用いられる。高周波磁場の印加と磁気共鳴信号の受信をそれぞれ専用のＲＦコイルで行う場合は、両者のカップリング（ｃｏｕｐｌｉｎｇ）を阻止するためのディスエーブル（ｄｉｓａｂｌｅ）回路が送信コイルおよび受信コイルにそれぞれ設けられる。
【０００４】
ディスエーブル回路は、キャパシタ（ｃａｐａｃｉｔｏｒ）に並列にインダクタ（ｉｎｄｕｃｔｏｒ）とダイオード（ｄｉｏｄｅ）の直列回路を接続して構成される。
【０００５】
直流の順バイアス（ｂｉａｓ）信号でダイオードをオン（ｏｎ）にすることによりＬＣ回路を形成し、並列共振による高インピーダンス（ｉｍｐｅｄａｎｃｅ）を利用してＲＦコイルをディスエーブルにし、デカップリング（ｄｅｃｏｕｐｌｉｎｇ）を実現する。また、直流の逆バイアス信号でダイオードをオフ（ｏｆｆ）にすることによりキャパシタとインダクタの並列接続を解除し、ＲＦコイルをイネーブル（ｅｎａｂｌｅ）にしてＲＦ信号の送信または受信を可能にする。ＲＦ信号の送信時には受信コイルをディスエーブルにし、磁気共鳴信号の受信時には送信コイルをディスエーブルにする。
【０００６】
【発明が解決しようとする課題】
直流バイアス信号の供給をＲＦ信号の給電点から行うようにすると、ＲＦ信号の供給線をバイアス信号の供給に兼用して信号配線を削減できる利点があるが、直流バイアス電流がＲＦコイルのメインループ（ｍａｉｎ  ｌｏｏｐ）を流れて直流磁界を形成し静磁場の精度を悪くする。
【０００７】
そこで、本発明の課題は、ディスエーブル回路のバイアス電流が静磁場に悪影響を及ぼさないＲＦコイルおよびそのようなＲＦコイルを有する磁気共鳴撮影装置を実現することである。
【０００８】
【課題を解決するための手段】
（１）上記の課題を解決するための１つの観点での発明は、キャパシタに並列にインダクタとダイオードの直列回路を接続してなるディスエーブル回路をコイルループに直列に接続したＲＦコイルであって、前記コイルループにおけるＲＦ電位が等しい箇所同士を接続して前記ダイオード用の直流バイアス供給経路を構成するＲＦチョーク回路、を具備することを特徴とするＲＦコイルである。
【０００９】
この観点での発明では、コイルループにおけるＲＦ電位が等しい箇所同士をＲＦチョーク回路で接続してディスエーブル回路のバイアス供給経路を構成した。このようにすることにより、直流バイアス電流はＲＦコイルのメインループを通らずにＲＦチョーク回路を通り、ＲＦ信号はＲＦチョーク回路を通らずにメインループを通るので、直流バイアス信号とＲＦ信号を同じ箇所から供給することができる。
【００１０】
（２）上記の課題を解決するための他の観点での発明は、前記ＲＦコイルは、平面上に互いに平行に配置された直線状の複数の主電流経路と、前記平面に沿って前記複数の主電流経路を迂回しつつそれらを電流方向が同じになるように直列に接続する迂回電流経路と、を有し、前記ディスエーブル回路は前記迂回電流経路中に存在する、ことを特徴とする(１）に記載のＲＦコイルである。
【００１１】
この観点での発明では、ディスエーブル回路はコイルループの迂回電流経路中に存在するので、直流バイアス電流による磁界は撮影空間の静磁場に影響を及ぼさない。
【００１２】
（３）上記の課題を解決するための他の観点での発明は、前記ＲＦコイルは、平面上に互いに平行に配置された複数の直線状の電流経路を含む第１の電流経路群と、互いに平行な複数の直線状の電流経路を含み前記第１の電流経路群と平行な鏡像を成す関係で前記平面上に配置された第２の電流経路群と、前記平面に沿って前記第１および第２の電流経路群を迂回しつつ両群を通じて全ての直線状の電気経路を電流方向が同じになるように直列に接続する第３の電流経路群と、を有し、前記ディスエーブル回路は前記第３の電流経路群中に存在する、ことを特徴とする(１）に記載のＲＦコイルである。
【００１３】
この観点での発明では、ディスエーブル回路はコイルループの第３の電流経路群すなわち迂回電流経路中に存在するので、直流バイアス電流による磁界は撮影空間の静磁場に影響を及ぼさない。
【００１４】
（４）上記の課題を解決するための他の観点での発明は、前記ＲＦコイルは、第１の平面上に互いに平行に配置された複数の直線状の電流経路を含む第１の電流経路群と、互いに平行な複数の直線状の電流経路を含み前記第１の電流経路群と平行な鏡像を成す関係で前記第１の平面上に配置された第２の電流経路群と、前記第１の平面に沿って前記第１および第２の電流経路群を迂回しつつ両群を通じて全ての直線状の電気経路を電流方向が同じになるように直列に接続する第３の電流経路群と、空間を隔てて前記第１の平面と平行に対向する第２の平面上に前記第１の電流経路群の電流経路の方向と平行に配置された複数の直線状の電流経路を含む第４の電流経路群と、互いに平行な複数の直線状の電流経路を含み前記第４の電流経路群と平行な鏡像を成す関係で前記第２の平面上に配置された第５の電流経路群と、前記第２の平面に沿って前記第４および第５の電流経路群を迂回しつつ両群を通じて全ての直線状の電気経路を電流方向が同じになるように直列に接続する第６の電流経路群と、を有し、前記ディスエーブル回路は前記第３および第６の電流経路郡中にそれぞれ存在する、ことを特徴とする(１）に記載のＲＦコイルである。
【００１５】
この観点での発明では、ディスエーブル回路はコイルループの第３および第６の電流経路群すなわち迂回電流経路中に存在するので、直流バイアス電流による磁界は撮影空間の静磁場に影響を及ぼさない。
【００１６】
（５）上記の課題を解決するための他の観点での発明は、前記ＲＦコイルは、第１の平面上に互いに平行に配置された複数の直線状の電流経路を含む第１の電流経路群と、互いに平行な複数の直線状の電流経路を含み前記第１の電流経路群と平行な鏡像を成す関係で前記第１の平面上に配置された第２の電流経路群と、前記第１の平面に沿って前記第１および第２の電流経路群を迂回しつつ両群を通じて全ての直線状の電気経路を電流方向が同じになるように直列に接続する第３の電流経路群と、前記第１の平面に近接して平行に対向する第３の平面上に前記第１の電流経路群の電流経路の方向とは垂直な方向に沿って互いに平行に配置された複数の直線状の電流経路を含む第７の電流経路群と、互いに平行な複数の直線状の電流経路を含み前記第７の電流経路群と平行な鏡像を成す関係で前記第３の平面上に配置された第８の電流経路群と、前記第３の平面に沿って前記第７および第８の電流経路群を迂回しつつ両群を通じて全ての直線状の電気経路を電流方向が同じになるように直列に接続する第９の電流経路群と、を有し、前記ディスエーブル回路は前記第３および第９の電流経路郡中にそれぞれ存在する、ことを特徴とする(１）に記載のＲＦコイルである。
【００１７】
この観点での発明では、ディスエーブル回路はコイルループの第３および第９の電流経路群すなわち迂回電流経路中に存在するので、直流バイアス電流による磁界は撮影空間の静磁場に影響を及ぼさない。
【００１８】
（６）上記の課題を解決するための他の観点での発明は、前記ＲＦコイルは、第１の平面上に互いに平行に配置された複数の直線状の電流経路を含む第１の電流経路群と、互いに平行な複数の直線状の電流経路を含み前記第１の電流経路群と平行な鏡像を成す関係で前記第１の平面上に配置された第２の電流経路群と、前記第１の平面に沿って前記第１および第２の電流経路群を迂回しつつ両群を通じて全ての直線状の電気経路を電流方向が同じになるように直列に接続する第３の電流経路群と、前記第１の平面に近接して平行に対向する第３の平面上に前記第１の電流経路群の電流経路の方向とは垂直な方向に沿って互いに平行に配置された複数の直線状の電流経路を含む第７の電流経路群と、互いに平行な複数の直線状の電流経路を含み前記第７の電流経路群と平行な鏡像を成す関係で前記第３の平面上に配置された第８の電流経路群と、前記第３の平面に沿って前記第７および第８の電流経路群を迂回しつつ両群を通じて全ての直線状の電気経路を電流方向が同じになるように直列に接続する第９の電流経路群と、空間を隔てて前記第１の平面と平行に対向する第２の平面上に前記第１の電流経路群の電流経路の方向と平行に配置された複数の直線状の電流経路を含む第４の電流経路群と、互いに平行な複数の直線状の電流経路を含み前記第４の電流経路群と平行な鏡像を成す関係で前記第２の平面上に配置された第５の電流経路群と、前記第２の平面に沿って前記第４および第５の電流経路群を迂回しつつ両群を通じて全ての直線状の電気経路を電流方向が同じになるように直列に接続する第６の電流経路群と、前記第２の平面に近接して平行に対向する第４の平面上に前記第４の電流経路群の電流経路の方向とは垂直な方向に沿って互いに平行に配置された複数の直線状の電流経路を含む第１０の電流経路群と、互いに平行な複数の直線状の電流経路を含み前記第１０の電流経路群と平行な鏡像を成す関係で前記第４の平面上に配置された第１１の電流経路群と、前記第４の平面に沿って前記第１０および第１１の電流経路群を迂回しつつ両群を通じて全ての直線状の電気経路を電流方向が同じになるように直列に接続する第１２の電流経路群と、を有し、前記ディスエーブル回路は前記第３、第６、第９および第１２の電流経路郡中にそれぞれ存在する、ことを特徴とする(１）に記載のＲＦコイルである。
【００１９】
この観点での発明では、ディスエーブル回路はコイルループの第３、第６、第９および第１２の電流経路群すなわち迂回電流経路中に存在するので、直流バイアス電流による磁界は撮影空間の静磁場に影響を及ぼさない。
【００２０】
（７）上記の課題を解決するための他の観点での発明は、前記ＲＦチョーク回路としてインダクタを用いる、ことを特徴とする（１）ないし（６）のうちのいずれか１つに記載のＲＦコイルである。
【００２１】
この観点での発明では、ＲＦチョーク回路としてインダクタを用いることにより、ＲＦ周波数領域では高インピーダンスを示し、直流領域では低抵抗を示す信号伝達経路を得ることができる。
【００２２】
（８）上記の課題を解決するための他の観点での発明は、前記ＲＦチョーク回路としてインダクタとキャパシタの並列回路を用いる、ことを特徴とする（１）ないし（６）のうちのいずれか１つに記載のＲＦコイルである。
【００２３】
この観点での発明では、ＲＦチョーク回路としてインダクタとキャパシタの並列回路を用いることにより、ＲＦ周波数領域では高インピーダンスを示し、直流領域では低抵抗を示す信号伝達経路を得ることができる。
【００２４】
（９）上記の課題を解決するための他の観点での発明は、前記ＲＦチョーク回路としてインダクタとダイオードの直列回路を用いる、ことを特徴とする（１）ないし（６）のうちのいずれか１つに記載のＲＦコイルである。
【００２５】
この観点での発明では、ＲＦチョーク回路としてインダクタとダイオードの直列回路を用いることにより、ＲＦ周波数領域では高インピーダンスを示し、直流領域では低抵抗を示す信号伝達経路を得ることができる。
【００２６】
（１０）上記の課題を解決するための他の観点での発明は、静磁場、勾配磁場および高周波磁場を用いて獲得した磁気共鳴信号に基づいて画像を構成する磁気共鳴撮影装置であって、前記高周波磁場を発生するＲＦコイルとして、キャパシタに並列にインダクタとダイオードの直列回路を接続してなるディスエーブル回路をコイルループに直列に接続したＲＦコイルであって、前記コイルループにおけるＲＦ電位が等しい箇所同士を接続して前記ダイオード用の直流バイアス供給経路を構成するＲＦチョーク回路、を有するＲＦコイル、を具備することを特徴とする磁気共鳴撮影装置である。
【００２７】
この観点での発明では、高周波磁場を発生するＲＦコイルにおいて、コイルループにおけるＲＦ電位が等しい箇所同士をＲＦチョーク回路で接続してディスエーブル回路のバイアス供給経路を構成した。このようにすることにより、直流バイアス電流はＲＦコイルのメインループを通らずにＲＦチョーク回路を通り、ＲＦ信号はＲＦチョーク回路を通らずにメインループを通るので、直流バイアス信号とＲＦ信号をＲＦ信号を同じ箇所から供給することができる。
【００２８】
（１１）上記の課題を解決するための他の観点での発明は、前記ＲＦコイルは、平面上に互いに平行に配置された直線状の複数の主電流経路と、前記平面に沿って前記複数の主電流経路を迂回しつつそれらを電流方向が同じになるように直列に接続する迂回電流経路と、を有し、前記ディスエーブル回路は前記迂回電流経路中に存在する、ことを特徴とする(１０）に記載の磁気共鳴撮影装置である。
【００２９】
この観点での発明では、ディスエーブル回路はコイルループの迂回電流経路中に存在するので、直流バイアス電流による磁界は撮影空間の静磁場に影響を及ぼさない。
【００３０】
（１２）上記の課題を解決するための他の観点での発明は、前記ＲＦコイルは、平面上に互いに平行に配置された複数の直線状の電流経路を含む第１の電流経路群と、互いに平行な複数の直線状の電流経路を含み前記第１の電流経路群と平行な鏡像を成す関係で前記平面上に配置された第２の電流経路群と、前記平面に沿って前記第１および第２の電流経路群を迂回しつつ両群を通じて全ての直線状の電気経路を電流方向が同じになるように直列に接続する第３の電流経路群と、を有し、前記ディスエーブル回路は前記第３の電流経路群中に存在する、ことを特徴とする(１０）に記載の磁気共鳴撮影装置である。
【００３１】
この観点での発明では、ディスエーブル回路はコイルループの第３の電流経路群すなわち迂回電流経路中に存在するので、直流バイアス電流による磁界は撮影空間の静磁場に影響を及ぼさない。
【００３２】
（１３）上記の課題を解決するための他の観点での発明は、前記ＲＦコイルは、第１の平面上に互いに平行に配置された複数の直線状の電流経路を含む第１の電流経路群と、互いに平行な複数の直線状の電流経路を含み前記第１の電流経路群と平行な鏡像を成す関係で前記第１の平面上に配置された第２の電流経路群と、前記第１の平面に沿って前記第１および第２の電流経路群を迂回しつつ両群を通じて全ての直線状の電気経路を電流方向が同じになるように直列に接続する第３の電流経路群と、空間を隔てて前記第１の平面と平行に対向する第２の平面上に前記第１の電流経路群の電流経路の方向と平行に配置された複数の直線状の電流経路を含む第４の電流経路群と、互いに平行な複数の直線状の電流経路を含み前記第４の電流経路群と平行な鏡像を成す関係で前記第２の平面上に配置された第５の電流経路群と、前記第２の平面に沿って前記第４および第５の電流経路群を迂回しつつ両群を通じて全ての直線状の電気経路を電流方向が同じになるように直列に接続する第６の電流経路群と、を有し、前記ディスエーブル回路は前記第３および第６の電流経路郡中にそれぞれ存在する、ことを特徴とする(１０）に記載の磁気共鳴撮影装置である。
【００３３】
この観点での発明では、ディスエーブル回路はコイルループの第３および第６の電流経路群すなわち迂回電流経路中に存在するので、直流バイアス電流による磁界は撮影空間の静磁場に影響を及ぼさない。
【００３４】
（１４）上記の課題を解決するための他の観点での発明は、前記ＲＦコイルは、第１の平面上に互いに平行に配置された複数の直線状の電流経路を含む第１の電流経路群と、互いに平行な複数の直線状の電流経路を含み前記第１の電流経路群と平行な鏡像を成す関係で前記第１の平面上に配置された第２の電流経路群と、前記第１の平面に沿って前記第１および第２の電流経路群を迂回しつつ両群を通じて全ての直線状の電気経路を電流方向が同じになるように直列に接続する第３の電流経路群と、前記第１の平面に近接して平行に対向する第３の平面上に前記第１の電流経路群の電流経路の方向とは垂直な方向に沿って互いに平行に配置された複数の直線状の電流経路を含む第７の電流経路群と、互いに平行な複数の直線状の電流経路を含み前記第７の電流経路群と平行な鏡像を成す関係で前記第３の平面上に配置された第８の電流経路群と、前記第３の平面に沿って前記第７および第８の電流経路群を迂回しつつ両群を通じて全ての直線状の電気経路を電流方向が同じになるように直列に接続する第９の電流経路群と、を有し、前記ディスエーブル回路は前記第３および第９の電流経路郡中にそれぞれ存在する、ことを特徴とする(１０）に記載の磁気共鳴撮影装置である。
【００３５】
この観点での発明では、ディスエーブル回路はコイルループの第３および第９の電流経路群すなわち迂回電流経路中に存在するので、直流バイアス電流による磁界は撮影空間の静磁場に影響を及ぼさない。
【００３６】
（１５）上記の課題を解決するための他の観点での発明は、前記ＲＦコイルは、第１の平面上に互いに平行に配置された複数の直線状の電流経路を含む第１の電流経路群と、互いに平行な複数の直線状の電流経路を含み前記第１の電流経路群と平行な鏡像を成す関係で前記第１の平面上に配置された第２の電流経路群と、前記第１の平面に沿って前記第１および第２の電流経路群を迂回しつつ両群を通じて全ての直線状の電気経路を電流方向が同じになるように直列に接続する第３の電流経路群と、前記第１の平面に近接して平行に対向する第３の平面上に前記第１の電流経路群の電流経路の方向とは垂直な方向に沿って互いに平行に配置された複数の直線状の電流経路を含む第７の電流経路群と、互いに平行な複数の直線状の電流経路を含み前記第７の電流経路群と平行な鏡像を成す関係で前記第３の平面上に配置された第８の電流経路群と、前記第３の平面に沿って前記第７および第８の電流経路群を迂回しつつ両群を通じて全ての直線状の電気経路を電流方向が同じになるように直列に接続する第９の電流経路群と、空間を隔てて前記第１の平面と平行に対向する第２の平面上に前記第１の電流経路群の電流経路の方向と平行に配置された複数の直線状の電流経路を含む第４の電流経路群と、互いに平行な複数の直線状の電流経路を含み前記第４の電流経路群と平行な鏡像を成す関係で前記第２の平面上に配置された第５の電流経路群と、前記第２の平面に沿って前記第４および第５の電流経路群を迂回しつつ両群を通じて全ての直線状の電気経路を電流方向が同じになるように直列に接続する第６の電流経路群と、前記第２の平面に近接して平行に対向する第４の平面上に前記第４の電流経路群の電流経路の方向とは垂直な方向に沿って互いに平行に配置された複数の直線状の電流経路を含む第１０の電流経路群と、互いに平行な複数の直線状の電流経路を含み前記第１０の電流経路群と平行な鏡像を成す関係で前記第４の平面上に配置された第１１の電流経路群と、前記第４の平面に沿って前記第１０および第１１の電流経路群を迂回しつつ両群を通じて全ての直線状の電気経路を電流方向が同じになるように直列に接続する第１２の電流経路群と、を有し、前記ディスエーブル回路は前記第３、第６、第９および第１２の電流経路郡中にそれぞれ存在する、ことを特徴とする(１０）に記載の磁気共鳴撮影装置である。
【００３７】
この観点での発明では、ディスエーブル回路はコイルループの第３、第６、第９および第１２の電流経路群すなわち迂回電流経路中に存在するので、直流バイアス電流による磁界は撮影空間の静磁場に影響を及ぼさない。
【００３８】
（１６）上記の課題を解決するための他の観点での発明は、前記ＲＦチョーク回路としてインダクタを用いる、ことを特徴とする（１０）ないし（１５）のうちのいずれか１つに記載の磁気共鳴撮影装置である。
【００３９】
この観点での発明では、ＲＦチョーク回路としてインダクタを用いることにより、ＲＦ周波数領域では高インピーダンスを示し、直流領域では低抵抗を示す信号伝達経路を得ることができる。
【００４０】
（１７）上記の課題を解決するための他の観点での発明は、前記ＲＦチョーク回路としてインダクタとキャパシタの並列回路を用いる、ことを特徴とする（１０）ないし（１５）のうちのいずれか１つに記載の磁気共鳴撮影装置である。
【００４１】
この観点での発明では、ＲＦチョーク回路としてインダクタとキャパシタの並列回路を用いることにより、ＲＦ周波数領域では高インピーダンスを示し、直流領域では低抵抗を示す信号伝達経路を得ることができる。
【００４２】
（１８）上記の課題を解決するための他の観点での発明は、前記ＲＦチョーク回路としてインダクタとダイオードの直列回路を用いる、ことを特徴とする（１０）ないし（１５）のうちのいずれか１つに記載の磁気共鳴撮影装置である。
【００４３】
この観点での発明では、ＲＦチョーク回路としてインダクタとダイオードの直列回路を用いることにより、ＲＦ周波数領域では高インピーダンスを示し、直流領域では低抵抗を示す信号伝達経路を得ることができる。
【００４４】
【発明の実施の形態】
以下、図面を参照して本発明の実施の形態を詳細に説明する。なお、本発明は実施の形態に限定されるものではない。図１に磁気共鳴撮影装置のブロック（ｂｌｏｃｋ）図を示す。本装置は本発明の実施の形態の一例である。本装置の構成によって、本発明の装置に関する実施の形態の一例が示される。
【００４５】
図１に示すように、本装置はマグネットシステム１００を有する。マグネットシステム１００は、主磁場マグネット部１０２、勾配コイル部１０６および送信コイル部１０８を有する。これら主磁場マグネット部１０２および各コイル部は、いずれも空間を挟んで互いに対向する１対のものからなる。また、いずれも概ね円板状の形状を有し中心軸を共有して配置されている。マグネットシステム１００の内部空間（ボア：ｂｏｒｅ）に、対象３００がクレードル（ｃｒａｄｌｅ）５００に搭載されて図示しない搬送手段により搬入および搬出される。対象３００の撮影部位には受信コイル部１１０が装着されている。
【００４６】
主磁場マグネット部１０２はマグネットシステム１００の内部空間に静磁場を形成する。静磁場の方向は概ね対象３００の体軸方向と直交する。すなわちいわゆる垂直磁場を形成する。主磁場マグネット部１０２は例えば永久磁石等を用いて構成される。なお、永久磁石に限らず超伝導電磁石あるいは常伝導電磁石等を用いて構成しても良いのはもちろんである。
【００４７】
勾配コイル部１０６は静磁場強度に勾配を持たせるための勾配磁場を生じる。発生する勾配磁場は、スライス（ｓｌｉｃｅ）勾配磁場、リードアウト（ｒｅａｄ  ｏｕｔ）勾配磁場およびフェーズエンコード（ｐｈａｓｅ  ｅｎｃｏｄｅ）勾配磁場の３種であり、これら３種類の勾配磁場に対応して勾配コイル部１０６は図示しない３系統の勾配コイルを有する。
【００４８】
３系統の勾配コイルは、互いに直交する３方向において静磁場にそれぞれ勾配を付与するための３つの勾配磁場をそれぞれ発生する。３方向のうちの１つは静磁場の方向（垂直方向）であり、通常これをｚ方向とする。他の１つは水平方向であり、通常これをｙ方向とする。残りの１つはｚ，ｙ方向に垂直な方向であり、通常これをｘ方向とする。x方向は垂直面内でｚ方向に垂直であり、水平面内でｙ方向に垂直である。
【００４９】
送信コイル部１０８は静磁場空間に対象３００の体内のスピンを励起するためのＲＦ励起信号を送信する。送信コイル部１０８は本発明のＲＦコイルの実施の形態の一例である。送信コイル部１０８の構成によって、本発明のＲＦコイルに関する実施の形態の一例が示される。送信コイル部１０８については後にあらためて説明する。
【００５０】
勾配コイル部１０６には勾配駆動部１３０が接続されている。勾配駆動部１３０は勾配コイル部１０６に駆動信号を与えて勾配磁場を発生させる。勾配駆動部１３０は、勾配コイル部１０６における３系統の勾配コイルに対応して、図示しない３系統の駆動回路を有する。
【００５１】
送信コイル部１０８にはＲＦ駆動部１４０が接続されている。ＲＦ駆動部１４０は送信コイル部１０８に駆動信号を与えてＲＦ励起信号を送信し、対象３００の体内のスピンを励起する。ＲＦ駆動部１４０は、また、送信コイル部１０５が有する後述のディスエーブル回路にバイアス信号を供給する。
【００５２】
受信コイル部１１０は励起されたスピンが生じる磁気共鳴信号を受信する。受信コイル部１１０にはデータ（ｄａｔａ）収集部１５０が接続されている。データ収集部１５０は受信コイル部１１０が受信した受信信号を取り込み、それをビューデータ（ｖｉｅｗ  ｄａｔａ）として収集する。
【００５３】
勾配駆動部１３０、ＲＦ駆動部１４０およびデータ収集部１５０には制御部１６０が接続されている。制御部１６０は、勾配駆動部１３０ないしデータ収集部１５０をそれぞれ制御して撮影を遂行する。
【００５４】
データ収集部１５０の出力側はデータ処理部１７０に接続されている。データ処理部１７０は、例えばコンピュータ（ｃｏｍｐｕｔｅｒ）等を用いて構成される。データ処理部１７０は図示しないメモリ（ｍｅｍｏｒｙ）を有する。メモリはデータ処理部１７０用のプログラムおよび各種のデータを記憶している。本装置の機能は、データ処理部１７０がメモリに記憶されたプログラムを実行することによりを実現される。
【００５５】
データ処理部１７０は、データ収集部１５０から取り込んだデータをメモリに記憶する。メモリ内にはデータ空間が形成される。データ空間は２次元フ−リエ（Ｆｏｕｒｉｅｒ）空間を構成する。データ処理部１７０は、これら２次元フ−リエ空間のデータを２次元逆フ−リエ変換して対象３００の画像を生成（再構成）する。２次元フ−リエ空間をｋスペース（ｋ−ｓｐａｃｅ）ともいう。
【００５６】
データ処理部１７０は制御部１６０に接続されている。データ処理部１７０は制御部１６０の上位にあってそれを統括する。データ処理部１７０には、また、表示部１８０および操作部１９０が接続されている。表示部１８０は、グラフィックディスプレー（ｇｒａｐｈｉｃ  ｄｉｓｐｌａｙ）等で構成される。操作部１９０はポインティングデバイス（ｐｏｉｎｔｉｎｇ  ｄｅｖｉｃｅ）を備えたキーボード（ｋｅｙｂｏａｒｄ）等で構成される。
【００５７】
表示部１８０は、データ処理部１７０から出力される再構成画像および各種の情報を表示する。操作部１９０は、操作者によって操作され、各種の指令や情報等をデータ処理部１７０に入力する。操作者は表示部１８０および操作部１９０を通じてインタラクティブ（ｉｎｔｅｒａｃｔｉｖｅ）に本装置を操作する。
【００５８】
図２に、本装置で撮影を行うときのパルスシーケンス（ｐｕｌｓｅ  ｓｅｑｕｅｎｃｅ）の一例を示す。このパルスシーケンスは、グラディエントエコー（ＧＲＥ：Ｇｒａｄｉｅｎｔ  Ｅｃｈｏ）法のパルスシーケンスである。
【００５９】
すなわち、（１）はＧＲＥ法におけるＲＦ励起用のα°パルスのシーケンスであり、（２）、（３）、（４）および（５）は、同じくそれぞれ、スライス勾配Ｇｓ、リードアウト勾配Ｇｒ、フェーズエンコード勾配ＧｐおよびグラディエントエコーＭＲのシーケンスである。なお、α°パルスは中心信号で代表する。パルスシーケンスは時間軸ｔに沿って左から右に進行する。
【００６０】
同図に示すように、α°パルスによりスピンのα°励起が行われる。フリップアングル（ｆｌｉｐ  ａｎｇｌｅ）α°は９０°以下である。このときスライス勾配Ｇｓが印加され所定のスライスについての選択励起が行われる。
【００６１】
α°励起後、フェーズエンコード勾配Ｇｐによりスピンのフェーズエンコードが行われる。次に、リードアウト勾配Ｇｒにより先ずスピンをディフェーズ（ｄｅｐｈａｓｅ）し、次いでスピンをリフェーズ（ｒｅｐｈａｓｅ）して、グラディエントエコーＭＲを発生させる。グラディエントエコーＭＲの信号強度は、α°励起からエコータイム（ｅｃｈｏ  ｔｉｍｅ）ＴＥ後の時点で最大となる。グラディエントエコーＭＲはデータ収集部１５０によりビューデータとして収集される。
【００６２】
このようなパルスシーケンスが周期ＴＲ（ｒｅｐｅｔｉｔｉｏｎ  ｔｉｍｅ）で６４〜５１２回繰り返される。繰り返しのたびにフェーズエンコード勾配Ｇｐを変更し、毎回異なるフェーズエンコードを行う。これによって、ｋスペースを埋める６４〜５１２ビューのビューデータが得られる。
【００６３】
磁気共鳴撮影用パルスシーケンスの他の例を図３に示す。このパルスシーケンスは、スピンエコー（ＳＥ：Ｓｐｉｎ  Ｅｃｈｏ）法のパルスシーケンスである。
【００６４】
すなわち、（１）はＳＥ法におけるＲＦ励起用の９０°パルスおよび１８０°パルスのシーケンスであり、（２）、（３）、（４）および（５）は、同じくそれぞれ、スライス勾配Ｇｓ、リードアウト勾配Ｇｒ、フェーズエンコード勾配ＧｐおよびスピンエコーＭＲのシーケンスである。なお、９０°パルスおよび１８０°パルスはそれぞれ中心信号で代表する。パルスシーケンスは時間軸ｔに沿って左から右に進行する。
【００６５】
同図に示すように、９０°パルスによりスピンの９０°励起が行われる。このときスライス勾配Ｇｓが印加され所定のスライスについての選択励起が行われる。９０°励起から所定の時間後に、１８０°パルスによる１８０°励起すなわちスピン反転が行われる。このときもスライス勾配Ｇｓが印加され、同じスライスについての選択的反転が行われる。
【００６６】
９０°励起とスピン反転の間の期間に、リードアウト勾配Ｇｒおよびフェーズエンコード勾配Ｇｐが印加される。リードアウト勾配Ｇｒによりスピンのディフェーズが行われる。フェーズエンコード勾配Ｇｐによりスピンのフェーズエンコードが行われる。
【００６７】
スピン反転後、リードアウト勾配ＧｒでスピンをリフェーズしてスピンエコーＭＲを発生させる。スピンエコーＭＲの信号強度は、９０°励起からＴＥ後の時点で最大となる。スピンエコーＭＲはデータ収集部１５０によりビューデータとして収集される。このようなパルスシーケンスが周期ＴＲで６４〜５１２回繰り返される。繰り返しのたびにフェーズエンコード勾配Ｇｐを変更し、毎回異なるフェーズエンコードを行う。これによって、ｋスペースを埋める６４〜５１２ビューのビューデータが得られる。
【００６８】
なお、撮影に用いるパルスシーケンスはＧＲＥ法またはＳＥ法に限るものではなく、例えば、ＦＳＥ（Ｆａｓｔ  Ｓｐｉｎ  Ｅｃｈｏ）法、ファーストリカバリＦＳＥ（Ｆａｓｔ  Ｒｅｃｏｖｅｒｙ  Ｆａｓｔ  Ｓｐｉｎ  Ｅｃｈｏ）法、エコープラナー・イメージング（ＥＰＩ：Ｅｃｈｏ  Ｐｌａｎａｒ  Ｉｍａｇｉｎｇ）等、他の適宜の技法のものであって良い。
【００６９】
データ処理部１７０は、ｋスペースのビューデータを２次元逆フ−リエ変換して対象３００の断層像を再構成する。後述するように、送信コイル部１０８をディスエーブルにする直流バイアスによる静磁場への悪影響がないので、品質の良い断層像を得ることができる。再構成した画像はメモリに記憶し、また、表示部１８０で表示する。
【００７０】
図４に、送信コイル部１０８付近のマグネットシステム１００の構造を断面図によって模式的に示す。同図において、Ｏは静磁場の中心すなわちマグネットセンター（ｍａｇｎｅｔ  ｃｅｎｔｅｒ）であり、ｘ，ｙ，ｚは前述した３方向である。
【００７１】
マグネットセンターＯを中心とする半径Ｒの球形領域ＳＶ（ｓｐｈｅｒｉｃ  ｖｏｌｕｍｅ）が撮影領域であり、マグネットシステム１００はこのＳＶにおいて静磁場、勾配磁場および高周波磁場が所定の精度を持つように構成される。
【００７２】
１対の主磁場マグネット部１０２は互いに対向する１対の磁極片（ポールピース：ｐｏｌｅ  ｐｉｅｃｅ）２０２を有する。磁極片２０２は例えば軟鉄等の高透磁率の磁性材料で構成され、静磁場空間における磁束分布を均一化する働きをする。
【００７３】
磁極片２０２は概ね円板形状を成すが、周縁部が板面に垂直な方向（ｚ方向）、すなわち、磁極片２０２同士が互いに対向する方向に突出している。これにより、磁極片２０２は底板部と突出した周縁部を有するものとなる。突出した周縁部は磁極片２０２の周縁における磁束密度の低下を補う働きをする。
【００７４】
突出した周縁部の内側に形成される磁極片２０２の凹部に、勾配コイル部１０６および送信コイル部１０８が設けられる。各コイル部はいずれも概ね円板形状を成し、磁極片２０２の磁極面に、図示しない適宜の取り付け手段により、順次に層を成すように取り付けられている。
【００７５】
図５に、送信コイル部１０８の主要部を成すＲＦコイルについて、電流経路のパターンの基本形を略図によって示す。同図に示すように、送信コイル部１０８は、中心Ｏに近い部分ではｙ方向に平行な直線状の複数の主電流経路（メインパス：ｍａｉｎ  ｐａｓｓ）１８２，１８２’を有する。メインパス１８２，とメインパス１８２’は、ｘｙ面内で、中心Ｏを通るｙ軸に関して鏡像の関係にある。メインパス１８２，１８２’は、本発明における主電流経路の実施の形態の一例である。
【００７６】
メインパスの帰路（リターンパス：ｒｅｔｕｒｎ  ｐａｓｓ）１９２，１９２’はメインパスを迂回して形成される。リターンパス１９２，１９２’は、本発明における迂回電流経路の実施の形態の一例である。
【００７７】
リターンパス１９２はメインパス１８２と１８２’を電流方向が同一となるように直列に接続する。リターンパス１９２’はメインパス１８２’と１８２を電流方向が同一となるように直列に接続する。
【００７８】
リターンパス１９２のメインパス１８２’側の端部にはキャパシタ４０２，４０４が直列に接続され、リターンパス１９２’のメインパス１８２側の端部にはキャパシタ４０２’，４０４’が直列に接続され、メインパス１８２，１８２’およびリターンパス１９２，１９２’とともにＬＣ回路を構成する。ＬＣ回路の共振周波数は磁気共鳴周波数に同調している。キャパシタ４０２，４０４の直列接続点はグラウンド（ｇｒｏｕｎｄ）に接続され、このグラウンドを基準としたＲＦ駆動信号がＲＦ駆動部１４０からキャパシタ４０２に供給される。
【００７９】
なお、同調用のキャパシタは、キャパシタ４０２〜４０４’に加えて、メインパス１８２，１８２’およびリターンパス１９２，１９２’の適宜の１つまたは複数の箇所に直列接続するようにしても良い。
【００８０】
このようなＲＦコイルでは、キャパシタ４０２の図における左端ａとキャパシタ４０２’の図における右端ａ’はＲＦ電位が同一になる。また、キャパシタ４０４の右端ｂとキャパシタ４０４’の左端ｂ’のＲＦ電位が等しくなる。なお、ａ，ａ’とｂ，ｂ’では電位の極性が互いに逆になる。
【００８１】
この関係は、図６に示すようにメインパス１８２，１８２’をそれぞれ２列化しても変わらず、また、図７に示すようにメインパス１８２，１８２’を幅広の導体で構成しても同じである。なお、メインパス１８２，１８２’の複数列化または幅広化は高周波磁場の強度分布の均一化に寄与する。
【００８２】
高周波磁場の強度分布の均一化ないし任意の強度分布を可能にするパターン構成として、例えば図８に示すようなパターンがある。同図に示すように、送信コイル部１０８は、中心Ｏに近い部分ではｙ方向に平行な直線状の複数のメインパス１８２，１８４，１８６，１８２’，１８４’，１８６’を有する。メインパス１８２，１８４，１８６の順に中心Ｏから遠ざかる。メインパス１８２’，１８４’，１８６’も同様である。
【００８３】
メインパス１８２，１８４，１８６は、本発明における第１の電流経路群の実施の形態の一例である。メインパス１８２’，１８４’，１８６’は、本発明における第２の電流経路群の実施の形態の一例である。
【００８４】
メインパス１８２，１８４，１８６とメインパス１８２’，１８４’，１８６’は、ｘｙ面内で、中心Ｏを通るｙ軸に関して鏡像の関係にある。ここではメインパスが３つずつ計６つの例を示すが、それに限らず適宜でよい。
【００８５】
リターンパス１９２，１９４，１９６，１９２’，１９４’，１９６’はメインパスを迂回して形成される。リターンパス１９２，１９４，１９６，１９２’，１９４’，１９６’は、本発明における第３の電流経路群の実施の形態の一例である。
【００８６】
リターンパス１９２はメインパス１８２と１８４を電流方向が同一となるように直列に接続する。リターンパス１９４はメインパス１８４と１８６を電流方向が同一となるように直列に接続する。リターンパス１９６はメインパス１８６と１８２’を電流方向が同一となるように直列に接続する。
【００８７】
リターンパス１９２’はメインパス１８２’と１８４’を電流方向が同一となるように直列に接続する。リターンパス１９４’はメインパス１８４’と１８６’を電流方向が同一となるように直列に接続する。リターンパス１９６’はメインパス１８６’と１８２を電流方向が同一となるように直列に接続する。
【００８８】
リターンパス１９６のメインパス１８２’側の端部にはキャパシタ４０２，４０４が直列に接続され、リターンパス１９６’のメインパス１８２側の端部にはキャパシタ４０２’，４０４’が直列に接続される。
【００８９】
リターンパス１９４のメインパス１８６側の端部にはキャパシタ４０６が直列に接続され、リターンパス１９４’のメインパス１８６’側の端部にはキャパシタ４０６’が直列に接続される。
【００９０】
リターンパス１９２のメインパス１８４側の端部にはキャパシタ４０８が直列に接続され、リターンパス１９２’のメインパス１８４’側の端部にはキャパシタ４０８’が直列に接続される。
【００９１】
このほかにメインパス１８２〜１８６’およびリターンパス１９２〜１９６’の適宜の箇所にキャパシタが直列に設けられる。以上の全てのキャパシタがメインパス１８２〜１８６’およびリターンパス１９２，１９２’とともにＬＣ回路を構成する。ＬＣ回路の共振周波数は磁気共鳴周波数に同調している。
【００９２】
キャパシタ４０２，４０４の直列接続点はグラウンドに接続され、このグラウンドを基準としたＲＦ駆動信号がＲＦ駆動部１４０からキャパシタ４０２に供給される。
【００９３】
メインパス１８２，１８４，１８６，１８２’，１８４’，１８６’は、リターンパス１９２，１９４，１９６，１９２’，１９４’，１９６’により、電流方向が同一となるように全て直列に接続される。これによってメインパス１８２，１８４，１８６，１８２’，１８４’，１８６’に流れる電流は全て同一の値となる。
【００９４】
撮影空間における高周波磁場の強度分布は、ｘｙ面におけるメインパス１８２〜１８６’の配置によって定まる。高周波磁場の強度分布を均一化あるいは所望の分布状態にするメインパス１８２〜１８６’の配置は、計算によって求めることができる。
【００９５】
このようなＲＦコイルでは、キャパシタ４０２の左端ａとキャパシタ４０２’の右端ａ’はＲＦ電位が同一になり、キャパシタ４０４の右端ｂとキャパシタ４０４’の左端ｂ’はＲＦ電位が同一になり、かつ、ａ，ａ’とｂ，ｂ’では電位の極性が互いに逆になる。
【００９６】
また、キャパシタ４０６の左端ｃとキャパシタ４０６’の右端ｃ’のＲＦ電位が同一になり、キャパシタ４０６の右端ｄとキャパシタ４０６’の左端ｄ’のＲＦ電位が同一になり、かつ、ｃ，ｃ’とｄ，ｄ’では電位の極性が互いに逆になる。
【００９７】
また、キャパシタ４０８の左端ｅとキャパシタ４０８’の右端ｅ’はＲＦ電位が同一になり、キャパシタ４０８の右端ｆとキャパシタ４０８’の左端ｆ’のＲＦ電位が同一なり、かつ、ｅ，ｅ’とｆ，ｆ’では電位の極性が互いに逆になる。
【００９８】
さらに、位置ａ，ｃ，ｅ，ａ’，ｃ’，ｅ’のＲＦ電位が等しく、位置ｂ，ｄ，ｆ，ｂ’，ｄ’，ｆ’のＲＦ電位が等しく、かつ、位置ａ，ｃ，ｅ，ａ’，ｃ’，ｅ’とｂ，ｄ，ｆ，ｂ’，ｄ’，ｆ’では電位の極性が互いに逆になる。
【００９９】
このようなＲＦコイルにおいて、ＲＦ電位の等電位点同士をＲＦチョーク（ＲＦ  ｃｈｏｋｅ）回路で接続しても、ＲＦコイルの各パスを流れるＲＦ電流は影響を受けない。
【０１００】
このような性質に着目し、ＲＦ電位の等電位点同士を接続するＲＦチョーク回路によって、次に述べるディスエーブル回路用の直流バイアス信号供給経路を構成する。以下、ＲＦ電位の等電位点を単に等電位点ともいう。
【０１０１】
図９に、ディスエーブル回路の構成の一例を示す。同図は、図８に示したＲＦコイルに設けるディスエーブル回路の電気的接続図である。このディスエーブル回路は、また、図８に示したＲＦコイルの一部分を成す。
【０１０２】
同図に示すように、キャパシタ４０４に、インダクタ４４２とダイオード４４４の直列回路が並列に接続されている。ダイオード４４４には抵抗４４６が並列に接続されている。抵抗４４６としては高抵抗が用いられる。
【０１０３】
キャパシタ４０４、インダクタ４４２、ダイオード４４４および抵抗４４６からなる回路はディスエーブル回路を構成する。このディスエーブル回路は、本発明におけるディスエーブル回路の実施の形態の一例である。
【０１０４】
ダイオード４４４のオン状態ではキャパシタ４０４とインダクタ４４２のＬＣ回路が形成される。ＬＣ回路の共振周波数は磁気共鳴信号の周波数に同調しており、並列共振による高インピーダンスを発生してディスエーブル機能を生じる。ダイオードの逆バイアス状態ではキャパシタ４０４とインダクタ４４２の並列接続が解除され、ディスエーブル機能を生じない。
【０１０５】
同様なディスエーブル回路が、キャパシタ４０６に並列接続したインダクタ４６２とダイオード４６４の直列回路、キャパシタ４０８に並列接続したインダクタ４８２とダイオード４８４の直列回路、キャパシタ４０６’に並列接続したインダクタ４６２’とダイオード４６４’の直列回路、キャパシタ４０８’に並列接続したインダクタ４８２’とダイオード４８４’の直列回路によってそれぞれ構成される。なお、各ダイオードには高抵抗がそれぞれ並列接続されている。
【０１０６】
等電位点ａ，ａ’同士はＲＦチョーク回路６０２によって接続される。等電位点ｃ，ｅ同士はＲＦチョーク回路６０４によって接続される。等電位点ｂ，ｆ同士はＲＦチョーク回路６０６によって接続される。等電位点ｃ’，ｅ’同士はＲＦチョーク回路６０４’によって接続される。等電位点ｂ’，ｆ’同士はＲＦチョーク回路６０６’によって接続される。等電位点ｄ，ｄ’同士はＲＦチョーク回路６０８によって接続される。
【０１０７】
ＲＦチョーク回路６０２，６０４，６０４’，６０６，６０６’，６０８は、本発明におけるＲＦチョーク回路の実施の形態の一例である。ＲＦチョーク回路６０２，６０４，６０４’，６０６，６０６’，６０８は、例えば、ＲＦ周波数領域で高インピーダンスを示し、直流では低抵抗を示すインダクタを用いて構成される。
【０１０８】
なお、それに限らず、例えば図１０に示すように、磁気共鳴信号に同調するＬＣ並列回路、または、図１１に示すように、ＲＦ周波数領域で高インピーダンスを示すインダクタにダイオードを直列に接続したものを用いても良い。このようなＲＦチョーク回路はＲＦ周波数領域の信号に対しては高インピーダンスを示し、直流信号に対しては低抵抗を示す。
【０１０９】
ＲＦチョーク回路６０２，６０４，６０４’，６０６，６０６’，６０８によって上記のように等電位点同士をそれぞれ接続することにより、キャパシタ４０２の左端を出発点とし、順次に、ＲＦチョーク回路６０２、ダイオード４４４’、インダクタ４４２’、ＲＦチョーク回路６０６’、インダクタ４８２’、ダイオード４８４’、ＲＦチョーク回路６０４’、ダイオード４６４’、インダクタ４６２’、ＲＦチョーク回路６０８、インダクタ４６２、ダイオード４６４、ＲＦチョーク回路６０４、ダイオード４８４、インダクタ４８２、ＲＦチョーク回路６０６、ダイオード４４４およびインダクタ４４２を通ってキャパシタ４０２の右端に至る電流経路が形成される。
【０１１０】
この電流経路には、ＲＦチョーク回路６０２，６０４，６０４’，６０６，６０６’，６０８が存在することにより、また、各ＲＦチョーク回路がそれぞれ等電位点同士を接続していることにより、ＲＦ電流は流れない。
【０１１１】
電流経路におけるダイオードの極性は全て同一である。したがって、この電流経路にダイオードの順方向に直流バイアス電流を流すことにより、各ディスエーブル回路においてＬＣ並列回路を形成しそれぞれディスエーブル機能を有効にすることができる。また、この電流経路に逆方向のバイアス電圧を印加することにより各ディスエーブル回路の機能を無効化することができる。このとき、各ダイオードに並列接続した高抵抗がダイオードの逆バイアスを安定化させる。
【０１１２】
ＲＦコイルが、図５ないし図７に示したようなコイルパターンを持つ場合も、上記に準じて、ディスエーブル回路およびそのバイアス信号供給回路が構成される。そのような回路は例えば図１２に示すようになる。同図に示すように、図５ないし図７に示したＲＦコイルは図８に示したものよりもリターンパスの数が少ないことにより、ディスエーブル回路およびＲＦチョーク回路の数も少ない。
【０１１３】
このような回路において、ディスエーブル回路の有効、無効を制御するバイアス信号はキャパシタ４０２の両端すなわちＲＦ駆動信号の供給点と同じ箇所に印加することができる。このため、ＲＦ駆動信号もバイアス信号も共通の信号線を通じて供給することができ、バイアス信号用に専用の信号線を設ける必要がない。
【０１１４】
また、直流のバイアス信号はリターンパスのごく一部を通り、メインパスを通ることがないので、バイアス信号が生じる直流磁界は撮影空間の静磁場に悪影響を及ぼさない。
【０１１５】
このようなコイルパターンおよびディスエーブル回路並びにＲＦチョーク回路を持つ１対の送信コイル部１０８が、図１３に示すように、撮影空間ＳＶを挟んで互いに対向している。なお、図示の便宜上１対のＲＦコイル部１０８はコイルパターンのみを示す。以下同様である。
【０１１６】
１対の送信コイル部１０８には互いに逆位相の駆動信号が供給される。これによって撮影空間ＳＶには１対の送信コイル部１０８が生じる高周波磁場の和が印加される。このような高周波磁場によって対象３００のスピンを励起する。なお、和の高周波磁場を必要としない場合は、１対の送信コイル部１０８の一方は省略しても良い。
【０１１７】
１対の送信コイル部１０８の一方におけるメインパス１８２，１８４，１８６は、本発明における第１の電流経路群の実施の形態の一例であり、メインパス１８２’，１８４’，１８６’は、本発明における第２の電流経路群の実施の形態の一例であり、リターンパス１９２，１９４，１９６，１９２’，１９４’，１９６’は、本発明における第３の電流経路群の実施の形態の一例である。
【０１１８】
１対の送信コイル部１０８の他方におけるメインパス１８２，１８４，１８６は、本発明における第４の電流経路群の実施の形態の一例であり、メインパス１８２’，１８４’，１８６’は、本発明における第５の電流経路群の実施の形態の一例であり、リターンパス１９２，１９４，１９６，１９２’，１９４’，１９６’は、本発明における第６の電流経路群の実施の形態の一例である。
【０１１９】
送信コイル部１０８には、例えば図１４に示すように、メインパスの方向をｘｙ面内で９０゜異ならせたコイルパターンを持つ送信コイル部１１８を重ね合わせるようにしても良い。両者を相互に絶縁するのはいうまでもない。
【０１２０】
送信コイル部１１８のコイルパターンを図１５に示す。同図に示すように、送信コイル部１１８は、図８に示したコイルパターンを９０゜回転したものに相当する。
【０１２１】
あらためて説明すれば、送信コイル部１１８は、中心Ｏに近い部分ではｘ方向に平行な直線状の複数のメインパス２８２，２８４，２８６，２８２’，２８４’，２８６’を有する。メインパス２８２，２８４，２８６の順に中心Ｏから遠ざかる。メインパス２８２’，２８４’，２８６’も同様である。
【０１２２】
メインパス２８２，２８４，２８６は、本発明における第７の電流経路群の実施の形態の一例である。メインパス２８２’，２８４’，２８６’は、本発明における第８の電流経路群の実施の形態の一例である。
【０１２３】
リターンパス２９２，２９４，２９６，２９２’，２９４’，２９６’はメインパスを迂回して形成される。リターンパス２９２，２９４，２９６，２９２’，２９４’，２９６’は、本発明における第９の電流経路群の実施の形態の一例である。
【０１２４】
リターンパス２９２はメインパス２８２と２８４を電流方向が同一となるように直列に接続する。リターンパス２９４はメインパス２８４と２８６を電流方向が同一となるように直列に接続する。リターンパス２９６はメインパス２８６と２８２’を電流方向が同一となるように直列に接続する。
【０１２５】
リターンパス２９２’はメインパス２８２’と２８４’を電流方向が同一となるように直列に接続する。リターンパス２９４’はメインパス２８４’と２８６’を電流方向が同一となるように直列に接続する。リターンパス２９６’はメインパス２８６’と２８２を電流方向が同一となるように直列に接続する。
【０１２６】
リターンパス２９６のメインパス２８２’側の端部にはキャパシタ５０２，５０４が直列に接続され、リターンパス２９６’のメインパス２８２側の端部にはキャパシタ５０２’，５０４’が直列に接続される。
【０１２７】
リターンパス２９４のメインパス２８６側の端部にはキャパシタ５０６が直列に接続され、リターンパス２９４’のメインパス２８６’側の端部にはキャパシタ５０６’が直列に接続される。
【０１２８】
リターンパス２９２のメインパス２８４側の端部にはキャパシタ５０８が直列に接続され、リターンパス２９２’のメインパス２８４’側の端部にはキャパシタ５０８’が直列に接続される。
【０１２９】
このほかにメインパス２８２〜２８６’およびリターンパス２９２〜２９６’の適宜の箇所にキャパシタが直列に設けられる。以上の全てのキャパシタがメインパス２８２〜２８６’およびリターンパス２９２，２９２’とともにＬＣ回路を構成する。ＬＣ回路の共振周波数は磁気共鳴周波数に同調している。
【０１３０】
キャパシタ５０２，５０４の直列接続点はグラウンドに接続され、このグラウンドを基準としたＲＦ駆動信号がＲＦ駆動部１４０からキャパシタ５０２に供給される。
【０１３１】
メインパス２８２，２８４，２８６，２８２’，２８４’，２８６’は、リターンパス２９２，２９４，２９６，２９２’，２９４’，２９６’により、電流方向が同一となるように全て直列に接続される。これによってメインパス２８２，２８４，２８６，２８２’，２８４’，２８６’に流れる電流は全て同一の値となる。
【０１３２】
撮影空間における高周波磁場の強度分布は、ｘｙ面におけるメインパス２８２〜２８６’の配置によって定まる。高周波磁場の強度分布を均一化あるいは所望の分布状態にするメインパス２８２〜２８６’の配置は、計算によって求めることができる。
【０１３３】
このようなＲＦコイルでも、キャパシタ５０２の図における下端ａとキャパシタ５０２’の図における上端ａ’はＲＦ電位が同一になり、キャパシタ５０４の上端ｂとキャパシタ５０４’の下端ｂ’はＲＦ電位が同一になり、かつ、ａ，ａ’とｂ，ｂ’では電位の極性が互いに逆になる。
【０１３４】
また、キャパシタ５０６の下端ｃとキャパシタ５０６’の上端ｃ’のＲＦ電位が同一になり、キャパシタ５０６の上端ｄとキャパシタ５０６’の下端ｄ’のＲＦ電位が同一になり、かつ、ｃ，ｃ’とｄ，ｄ’では電位の極性が互いに逆になる。
【０１３５】
また、キャパシタ５０８の下端ｅとキャパシタ５０８’の上端ｅ’はＲＦ電位が同一になり、キャパシタ５０８の上端ｆとキャパシタ５０８’の下端ｆ’のＲＦ電位が同一なり、かつ、ｅ，ｅ’とｆ，ｆ’では電位の極性が互いに逆になる。
【０１３６】
さらに、位置ａ，ｃ，ｅ，ａ’，ｃ’，ｅ’のＲＦ電位が等しく、位置ｂ，ｄ，ｆ，ｂ’，ｄ’，ｆ’のＲＦ電位が等しく、かつ、位置ａ，ｃ，ｅ，ａ’，ｃ’，ｅ’とｂ，ｄ，ｆ，ｂ’，ｄ’，ｆ’では電位の極性が互いに逆になる。
【０１３７】
このようなＲＦコイル１１８にも、ＲＦコイル１０８と同様にしてディスエーブル回路およびそれらのバイアス信号供給回路が形成される。なお、バイアス信号供給回路は、送信コイル部１０８と１１８を通じて直列に形成しても良い。
【０１３８】
このようなコイルパターンおよびディスエーブル回路並びにそのバイアス回路を持つ１対の送信コイル部１１８が、例えば図１６に示すように、１対の送信コイル部１０８とともに、撮影空間ＳＶを挟んで互いに対向している。１対の送信コイル部１１８には互いに逆位相の駆動信号が供給される。これによって撮影空間には１対の送信コイル部１１８が生じる高周波磁場の和が印加される。このような高周波磁場によって対象３００のスピンを励起する。なお、和の高周波磁場を必要としない場合は、１対の送信コイル部１１８の一方は省略しても良い。
【０１３９】
１対の送信コイル部１１８の一方におけるメインパス２８２，２８４，２８６は、本発明における第７の電流経路群の実施の形態の一例であり、メインパス２８２’，２８４’，２８６’は、本発明における第８の電流経路群の実施の形態の一例であり、リターンパス２９２，２９４，２９６，２９２’，２９４’，２９６’は、本発明における第９の電流経路群の実施の形態の一例である。
【０１４０】
１対の送信コイル部１１８の他方におけるメインパス２８２，２８４，２８６は、本発明における第１０の電流経路群の実施の形態の一例であり、メインパス２８２’，２８４’，２８６’は、本発明における第１１の電流経路群の実施の形態の一例であり、リターンパス２９２，２９４，２９６，２９２’，２９４’，２９６’は、本発明における第１２の電流経路群の実施の形態の一例である。
【０１４１】
送信コイル部１０８の駆動信号と送信コイル部１１８の駆動信号は、位相を９０゜異ならせる。これによって、送信コイル部１０８と送信コイル部１１８はいわゆるクワドラチャ（ｑｕａｄｒａｔｕｒｅ）動作を行い、撮影空間ＳＶにはｘｙ面内で回転する高周波磁場が生じる。このような高周波磁場によって対象３００のスピンを励起する。
【０１４２】
以上、送信専用のＲＦコイルの例で説明したが、全く同じ構成のＲＦコイルを磁気共鳴信号の受信に用いることもできる。その場合は、キャパシタ４０２，５０２の両端から受信信号を取り出すようにする。
【０１４３】
【発明の効果】
以上詳細に説明したように、本発明によれば、ディスエーブル回路のバイアス電流が静磁場に悪影響を及ぼさないＲＦコイルおよびそのようなＲＦコイルを有する磁気共鳴撮影装置を実現することができる。
【図面の簡単な説明】
【図１】本発明の実施の形態の一例の装置のブロック図である。
【図２】図１に示した装置が実行するパルスシーケンスの一例を示す図である。
【図３】図１に示した装置が実行するパルスシーケンスの一例を示す図である。
【図４】図１に示した装置におけるマグネットシステムの送信コイル部付近の構成を示す模式図である。
【図５】図４に示した送信コイル部の電流経路のパターンを示す略図である。
【図６】図４に示した送信コイル部の電流経路のパターンを示す略図である。
【図７】図４に示した送信コイル部の電流経路のパターンを示す略図である。
【図８】図４に示した送信コイル部の電流経路のパターンを示す略図である。
【図９】図８に示した送信コイル部のディスエーブル回路部分の電気的接続図である。
【図１０】ＲＦチョーク回路の電気的接続図である。
【図１１】ＲＦチョーク回路の電気的接続図である。
【図１２】図５ないし図７に示した送信コイル部のディスエーブル回路部分の電気的接続図である。
【図１３】図４に示した送信コイル部の電流経路のパターンを示す略図である。
【図１４】図４に示した送信コイル部の電流経路のパターンを示す略図である。
【図１５】図４に示した送信コイル部の電流経路のパターンを示す略図である。
【図１６】図４に示した送信コイル部の電流経路のパターンを示す略図である。
【符号の説明】
１００  マグネットシステム
１０２  主磁場マグネット部
１０６  勾配コイル部
１０８  送信コイル部
１１０  受信コイル部
１３０  勾配駆動部
１４０  ＲＦ駆動部
１５０  データ収集部
１６０  制御部
１７０  データ処理部
１８０  表示部
１９０  操作部
３００  対象
５００  クレードル
１８２〜１８６’，２８２〜２８６’  メインパス
１９２〜１９６’，２９２〜２９６’  リターンパス
４０２〜４０８’，５０２〜５０８’  キャパシタ
４４２〜４８２’  インダクタ
４４４〜４８４’  ダイオード
６０２〜６１０  ＲＦチョーク回路
【図１】
0003842520.tif 000002
【図２】
0003842520.tif 000003
【図３】
0003842520.tif 000004
【図４】
0003842520.tif 000005
【図５】
0003842520.tif 000006
【図６】
0003842520.tif 000007
【図７】
0003842520.tif 000008
【図８】
0003842520.tif 000009
【図９】
0003842520.tif 000010
【図１０】
0003842520.tif 000011
【図１１】
0003842520.tif 000012
【図１２】
0003842520.tif 000013
【図１３】
0003842520.tif 000014
【図１４】
0003842520.tif 000015
【図１５】
0003842520.tif 000016
【図１６】
0003842520.tif 000017